(57)【要約】      （修正有）【課題】  移動したり運搬する経費が安くなり、簡単に組み立てたり、分解することができ、また取り扱いが簡単であり、しかも部屋の広さや間取り、窓や扉などの開口部の細かなレイアウトにも対処できる住宅体験施設の組立セットを提供する。【解決手段】  両側端面に嵌合凹部１ａを設けた第一壁部材１、対向側端面に嵌合凸部２ａを設けた平面用柱部材２、隣接側端面に嵌合凸部３ａを設けたコーナ用第一柱部材３、対向側端面に嵌合凹部４ａを設けた第一上壁部材４、および対向側端面に嵌合凹部５ａを設けた第一下壁部材５からなり、第一壁部材１の平面部１ｆの横幅と平面用柱部材２の平面部２ｆの横幅とを加えた寸法、第一上壁部材４の平面部４ｆの横幅と平面用柱部材２の平面部２ｆの横幅とを加えた寸法、および第一下壁部材５の平面部５ｆの横幅と平面用柱部材２の平面部２ｆの横幅とを加えた寸法をそれぞれ一間の二分の一としている。【選択図】    図１６
2006018052.tif 000002
【特許請求の範囲】
【請求項１】
両側端面に嵌合凹部（１ａ）を設けた第一壁部材（１）、対向側端面に嵌合凸部（２ａ）を設けた平面用柱部材（２）、隣接側端面に嵌合凸部（３ａ）を設けたコーナ用第一柱部材（３）、対向側端面に嵌合凹部（４ａ）を設けた第一上壁部材（４）、および対向側端面に嵌合凹部（５ａ）を設けた第一下壁部材（５）からなり、前記第一壁部材（１）の平面部（１ｆ）の横幅と平面用柱部材（２）の平面部（２ｆ）の横幅とを加えた寸法、前記第一上壁部材（４）の平面部（４ｆ）の横幅と平面用柱部材（２）の平面部（２ｆ）の横幅とを加えた寸法、および前記第一下壁部材（５）の平面部（５ｆ）の横幅と平面用柱部材（２）の平面部（２ｆ）の横幅とを加えた寸法をそれぞれ一間の二分の一としたことを特徴とする住宅体験施設の組立セット。
【請求項２】
三側端面に嵌合凸部（６ａ）を設けた平面兼コーナ用柱部材（６）、四側端面すべてに嵌合凸部（７ａ）を設けたコーナ用第二柱部材（７）、対向側端面に嵌合凸部（８ａ）を設けた上壁連結部材（８）、対向側端面に嵌合凸部（９ａ）を設けた下壁連結部材（９）、両側端面に嵌合凹部（１０ａ）を設けた第二壁部材（１０）、対向側端面に嵌合凹部（１１ａ）を設けた第二上壁部材（１１）、対向側端面に嵌合凹部（１２ａ）を設けた第二下壁部材（１２）、一側端面に嵌合凸部（１３ａ）を設けた側端用柱部材（１３）、対向一側端面に嵌合凹部（１４ａ）を設けると共に対向他側端面に嵌合凸部（１４ｂ）を設けた出入口幅調節部材（１４）、および対向一側端面に嵌合凹部（１５ａ）を設けると共に対向他側端面の嵌合凸部（１５ｂ）を設けた窓幅調節部材（１５）の少なくとも一部材を追加してなることを特徴とする請求項１記載の住宅体験施設の組立セット。
【請求項３】
対向側端面に嵌合凸部（８ａ）を設けた上壁連結部材（８）、および対向側端面に嵌合凸部（９ａ）を設けた下壁連結部材（９）を追加してなり、前記第一上壁部材（４）の平面部（４ｆ）の横幅と上壁連結部材（８）の平面部（８ｆ）の横幅とを加えた寸法、前記第一下壁部材（５）の平面部（５ｆ）の横幅と下壁連結部材（９）の平面部（９ｆ）の横幅とを加えた寸法をそれぞれ一間の二分の一としたことを特徴とする請求項１記載の住宅体験施設の組立セット。
【請求項４】
対向側端面に嵌合凹部（１１ａ）を設けた第二上壁部材（１１）、および対向側端面に嵌合凹部（１２ａ）を設けた第二下壁部材（１２）を追加してなり、前記第二上壁部材（１１）の平面部（１１ｆ）の横幅と平面用柱部材（２）の平面部（２ｆ）の横幅とを加えた寸法、および第二下壁部材（１２）の平面部（１２ｆ）の横幅と平面用柱部材（２）の平面部（２ｆ）の横幅とを加えた寸法をそれぞれ一間の四分の一としたことを特徴とする請求項１記載の住宅体験施設の組立セット。
【請求項５】
前記第一壁部材（１）、平面用柱部材（２）、コーナ用第一柱部材（３）、平面兼コーナ用柱部材（６）、コーナ用第二柱部材（７）、第二壁部材（１０）、および側端用柱部材（１３）のそれぞれの高さを約２４５ｃｍとし、第一上壁部材（４）、上壁連結部材（８）、および第二上壁部材（１１）のそれぞれの高さを約５０ｃｍとし、第一下壁部材（５）、下壁連結部材（９）、および第二下壁部材（１２）のそれぞれの高さを約４５ｃｍ、約９５ｃｍ、約１１０ｃｍの何れかとし、出入口幅調節部材（１４）の高さを約２００ｃｍとし、窓幅調節部材（１５）の高さを約８０ｃｍ、約１４５ｃｍの何れかとしたことを特徴とする請求項２記載の住宅体験施設の組立セット。
【請求項６】
第一壁部材（１）、平面用柱部材（２）、コーナ用第一柱部材（３）、第一上壁部材（４）、第一下壁部材（５）、平面兼コーナ用柱部材（６）、コーナ用第二柱部材（７）、上壁連結部材（８）、下壁連結部材（９）、第二壁部材（１０）、第二上壁部材（１１）、第二下壁部材（１２）、側端用柱部材（１３）、出入口幅調節部材（１４）および窓幅調節部材（１５）の各部材を、合成樹脂からなる発泡材としたことを特徴とする請求項２または５記載の住宅体験施設の組立セット。
【発明の詳細な説明】
【技術分野】
【０００１】
この発明は、新たに住宅を建築しようとする人などが、部屋の広さや間取り、窓や出入口の大きさなどを決定する場合において、実物サイズで体験することのできる住宅体験施設の組立セットに関するものである。
【背景技術】
【０００２】
従来、住宅建築予定者が、実際に建築する住宅のリビングやダイニング、寝室などの部屋の広さや間取りをどのようにするかを決定する場合の目安となる空間スケールを、実物サイズで体験可能とした装置として、例えば図２２、２３に示したような空間スケール体験装置が存在する。
【０００３】
この空間スケール体験装置は、住宅の室内を模擬的に構成した仮想室内空間Ａを構成し、この仮想室内空間Ａ内に直交する２つの壁を、それぞれの壁の前後方向に移動可能として、住宅建築予定者Ｙが空間の大きさを体験できるように構成している。直交する２つの壁の一方は、スライドレール１７に沿って無段階に前後位置を調整可能とし、他方の壁は、係止金具１８を一定距離毎に設けて、この係止金具の位置を選択することにより、段階的に位置調整を可能としている（特許文献１）。
【０００４】
さらに、住宅建築予定者が、実際に建築する住宅の部屋の窓や扉の大きさ、形状、位置、デザインを任意に変更して建築予定者に体験してもらう装置として、例えば図２４、２５に示したような住宅内の空間の疑似体験装置が存在する。
【０００５】
この住宅内の空間の疑似体験装置は、少なくとも床２１と壁２２に囲まれた疑似体験空間２３と、表面が窓の外観をした複数種類の窓表示用薄板パネル２４と、表面が扉の外観をした複数種類の扉表示用薄板パネル２５とを備えたものとしている。疑似体験空間２３の壁２２の内面の任意の位置に任意の窓表示用薄板パネル２４と扉表示用薄板パネル２５とを着脱手段により着脱自在に取り付けるものとしている（特許文献２）。
【特許文献１】特開平１０−２０７６１号公報（第１〜２頁、図１、図１０）
【特許文献１】特開２００４−１０９８４７号公報（第１〜２頁、図１〜２）
【発明の開示】
【発明が解決しようとする課題】
【０００６】
しかしながら、上記図２２、２３に示したような空間スケール体験装置では、装置自体が大掛かりなものとなって住宅展示場や住宅に関する施設などで移動したり、他の住宅展示場や住宅に関する施設などに運搬する場合に、移動したり運搬する経費が高くつくと共に、組み立てたり、分解するのにも手間暇が掛かるという問題点や、部屋の広さや間取りの細かなレイアウトに対処することができないという問題点を有していた。
【０００７】
さらに、上記図２４、２５に示したような住宅内の空間の疑似体験装置では、複数種類の窓表示用薄板パネル２４や扉表示用薄板パネル２５を用意しなければならないため、その複数種類のパネルが運搬時や保管時などに嵩張り、取り扱いが面倒であるという問題点や、窓や扉の細かなレイアウトに対処することができないという問題点を有していた。
【０００８】
そこで、この発明は、上記従来の問題点を解決することをその課題としており、大掛かりなものとはならず住宅展示場や住宅に関する施設などで移動したり、他の住宅展示場や住宅に関する施設などに運搬する場合にも、移動したり運搬する経費が安くなり、さらに簡単に組み立てたり、分解することができ、また軽量であるため取り扱いが簡単であり、しかも部屋の広さや間取り、窓や扉などの開口部の細かなレイアウトにも対処することができる住宅体験施設の組立セットを提供することを目的としてなされたものである。
【課題を解決するための手段】
【０００９】
そのため、この発明の住宅体験施設の組立セットは、両側端面に嵌合凹部１ａを設けた第一壁部材１、対向側端面に嵌合凸部２ａを設けた平面用柱部材２、隣接側端面に嵌合凸部３ａを設けたコーナ用第一柱部材３、対向側端面に嵌合凹部４ａを設けた第一上壁部材４、および対向側端面に嵌合凹部５ａを設けた第一下壁部材５からなり、前記第一壁部材１の平面部１ｆの横幅と平面用柱部材２の平面部２ｆの横幅とを加えた寸法、前記第一上壁部材４の平面部４ｆの横幅と平面用柱部材２の平面部２ｆの横幅とを加えた寸法、および前記第一下壁部材５の平面部５ｆの横幅と平面用柱部材２の平面部２ｆの横幅とを加えた寸法をそれぞれ一間の二分の一としている。
【００１０】
そして、この発明の住宅体験施設の組立セットは、三側端面に嵌合凸部６ａを設けた平面兼コーナ用柱部材６、四側端面すべてに嵌合凸部７ａを設けたコーナ用第二柱部材７、対向側端面に嵌合凸部８ａを設けた上壁連結部材８、対向側端面に嵌合凸部９ａを設けた下壁連結部材９、両側端面に嵌合凹部１０ａを設けた第二壁部材１０、対向側端面に嵌合凹部１１ａを設けた第二上壁部材１１、対向側端面に嵌合凹部１２ａを設けた第二下壁部材１２、一側端面に嵌合凸部１３ａを設けた側端用柱部材１３、対向一側端面に嵌合凹部１４ａを設けると共に対向他側端面に嵌合凸部１４ｂを設けた出入口幅調節部材１４、および対向一側端面に嵌合凹部１５ａを設けると共に対向他側端面の嵌合凸部１５ｂを設けた窓幅調節部材１５の少なくとも一部材を、前記組立セットに追加してなるものとしている。
【００１１】
さらに、この発明の住宅体験施設の組立セットは、対向側端面に嵌合凸部８ａを設けた上壁連結部材８、および対向側端面に嵌合凸部９ａを設けた下壁連結部材９を、前記組立セットに追加してなり、前記第一上壁部材４の平面部４ｆの横幅と上壁連結部材８の平面部８ｆの横幅とを加えた寸法、前記第一下壁部材５の平面部５ｆの横幅と下壁連結部材９の平面部９ｆの横幅とを加えた寸法をそれぞれ一間の二分の一としている。
【００１２】
また、この発明の住宅体験施設の組立セットは、対向側端面に嵌合凹部１１ａを設けた第二上壁部材１１、および対向側端面に嵌合凹部１２ａを設けた第二下壁部材１２を、前記組立セットに追加してなり、前記第二上壁部材１１の平面部１１ｆの横幅と平面用柱部材２の平面部２ｆの横幅とを加えた寸法、および第二下壁部材１２の平面部１２ｆの横幅と平面用柱部材２の平面部２ｆの横幅とを加えた寸法をそれぞれ一間の四分の一としている。
【００１３】
さらに、この発明の住宅体験施設の組立セットは、前記第一壁部材１、平面用柱部材２、コーナ用第一柱部材３、平面兼コーナ用柱部材６、コーナ用第二柱部材７、第二壁部材１０、および側端用柱部材１３のそれぞれの高さを約２４５ｃｍとし、第一上壁部材４、上壁連結部材８、および第二上壁部材１１のそれぞれの高さを約５０ｃｍとし、第一下壁部材５、下壁連結部材９、および第二下壁部材１２のそれぞれの高さを約４５ｃｍ、約９５ｃｍ、約１１０ｃｍの何れかとし、出入口幅調節部材１４の高さを約２００ｃｍとし、窓幅調節部材１５の高さを約８０ｃｍ、約１４５ｃｍの何れかとしている。
【００１４】
また、この発明の住宅体験施設の組立セットは、第一壁部材１、平面用柱部材２、コーナ用第一柱部材３、第一上壁部材４、第一下壁部材５、平面兼コーナ用柱部材６、コーナ用第二柱部材７、上壁連結部材８、下壁連結部材９、第二壁部材１０、第二上壁部材１１、第二下壁部材１２、側端用柱部材１３、出入口幅調節部材１４および窓幅調節部材１５の各部材を、合成樹脂からなる発泡材としている。
【発明の効果】
【００１５】
この発明の住宅体験施設の組立セットは、以上に述べたように構成されているので、大掛かりなものとはならず住宅展示場や住宅に関する施設などで移動したり、他の住宅展示場や住宅に関する施設などに運搬する場合にも、移動したり運搬する経費が安くなり、さらに簡単に組み立てたり、分解することができ、また軽量であるため取り扱いが簡単であり、しかも部屋の広さや間取り、窓や扉などの開口部の細かなレイアウトにも対処することができるものとなる。
【発明を実施するための最良の形態】
【００１６】
以下、この発明の住宅体験施設の組立セットを実施するための最良の形態について、図面に基づき詳細に説明する。
【００１７】
この発明の住宅体験施設の組立セットは、図１〜１５に示したような、第一壁部材１、平面用柱部材２、コーナ用第一柱部材３、第一上壁部材４、第一下壁部材５、平面兼コーナ用柱部材６、コーナ用第二柱部材７、上壁連結部材８、下壁連結部材９、第二壁部材１０、第二上壁部材１１、第二下壁部材１２、側端用柱部材１３、出入口幅調節部材１４および窓幅調節部材１５とから構成される。そして、この発明の住宅体験施設の組立セットは、これらの部材のうち少なくとも第一壁部材１、平面用柱部材２、コーナ用第一柱部材３、第一上壁部材４および第一下壁部材５を必須の構成部材としており、他の部材を任意の構成部材としている。例えば、前記必須の構成部材と、平面兼コーナ用柱部材６、コーナ用第二柱部材７、側端用柱部材１３の各柱部材とからなるものとすることができる。さらに、前記必須の構成部材と、上壁連結部材８および下壁連結部材９とからなるものとしたり、前記必須の構成部材と、第二壁部材１０とからなるものとすることができる。また、前記必須の構成部材と、第二上壁部材１１および第二下壁部材１２とからなるものとしたり、前記必須の構成部材と、出入口幅調節部材１４または窓幅調節部材１５とからなるものとすることができる。すなわち、この発明の住宅体験施設の組立セットは、前記必須の構成部材と、平面兼コーナ用柱部材６、コーナ用第二柱部材７、上壁連結部材８、下壁連結部材９、第二壁部材１０、第二上壁部材１１、第二下壁部材１２、側端用柱部材１３、出入口幅調節部材１４および窓幅調節部材１５の各部材の少なくとも一部材とからなるものとすることができる。
【００１８】
そして、この発明の住宅体験施設の組立セットは、前記第一壁部材１の平面部１ｆの横幅と平面用柱部材２の平面部２ｆの横幅とを加えた寸法、前記第一上壁部材４の平面部４ｆの横幅と平面用柱部材２の平面部２ｆの横幅とを加えた寸法、および前記第一下壁部材５の平面部５ｆの横幅と平面用柱部材２の平面部２ｆの横幅とを加えた寸法をそれぞれ一間（通常、一間は約１８２ｃｍであるが、地域や工法によって異なる場合もある）の二分の一としている。さらに、この発明の住宅体験施設の組立セットは、前記第一上壁部材４の平面部４ｆの横幅と上壁連結部材８の平面部８ｆの横幅とを加えた寸法、前記第一下壁部材５の平面部５ｆの横幅と下壁連結部材９の平面部９ｆの横幅とを加えた寸法をそれぞれ一間の二分の一としている。また、この発明の住宅体験施設の組立セットは、前記第二上壁部材１１の平面部１１ｆの横幅と平面用柱部材２の平面部２ｆの横幅とを加えた寸法、および第二下壁部材１２の平面部１２ｆの横幅と平面用柱部材２の平面部２ｆの横幅とを加えた寸法をそれぞれ一間の四分の一としている。
【００１９】
なお、この発明の住宅体験施設の組立セットにおける前記各部材は、例えばスチレン樹脂やウレタン樹脂等の合成樹脂からなる発泡材とするのが好ましい。このような発泡材とすることにより、前記各部材は、軽量化できると共に、住宅体験施設としての形状維持強度を保つことができる。
【００２０】
そこで、この発明の住宅体験施設の組立セットにおける前記各部材を詳細に説明すると、前記各部材は具体的には以下のようにしている。
【００２１】
前記第一壁部材１は、厚さ約１３ｃｍの板状としており、図１に示したように、両側端面に嵌合凹部１ａを設け、平面部１ｆの横幅を約７８ｃｍとし、高さを約２４５ｃｍとしている。さらに、この第一壁部材１は、図１に示したように、上端面に嵌合凹部１ｂを設けることもできる。
【００２２】
前記平面用柱部材２は、断面形状が約１３ｃｍ角の四角柱状としており、図２に示したように、対向側端面に嵌合凸部２ａを設け、平面部２ｆの横幅を約１３ｃｍとし、高さを約２４５ｃｍとしている。
【００２３】
前記コーナ用第一柱部材３は、断面形状が約１３ｃｍ角の四角柱状としており、図３に示したように、隣接側端面に嵌合凸部３ａを設け、高さを約２４５ｃｍとしている。
【００２４】
前記第一上壁部材４は、厚さ約１３ｃｍの板状としており、図４に示したように、対向側端面に嵌合凹部４ａを設け、平面部４ｆの横幅を約７８ｃｍとし、高さを約５０ｃｍとしている。さらに、この第一上壁部材４は、図４に示したように、下端面に嵌合凸部４ｂを設けると共に上端面に嵌合凹部４ｃを設けることもできる。
【００２５】
前記第一下壁部材５は、厚さ約１３ｃｍの板状としており、図５に示したように、対向側端面に嵌合凹部５ａを設け、平面部５ｆの横幅を約７８ｃｍとし、高さを約４５ｃｍ、約９５ｃｍ、約１１０ｃｍの何れかとしている。さらに、この第一下壁部材５は、図５に示したように、上端面に嵌合凸部５ｂを設けることもできる。
【００２６】
前記平面兼コーナ用柱部材６は、断面形状が約１３ｃｍ角の四角柱状としており、図６に示したように、三側端面に嵌合凸部６ａを設け、高さを約２４５ｃｍとしている。
【００２７】
前記コーナ用第二柱部材７は、断面形状が約１３ｃｍ角の四角柱状としており、図７に示したように、四側端面すべてに嵌合凸部７ａを設け、高さを約２４５ｃｍとしている。
【００２８】
前記上壁連結部材８は、断面形状が約１３ｃｍ角の四角柱状としており、図８に示したように、対向側端面に嵌合凸部８ａを設け、平面部８ｆの横幅を約１３ｃｍとし、高さを約５０ｃｍとしている。さらに、この上壁連結部材８は、図８に示したように、下端面に嵌合凸部８ｂを設けることもできる。
【００２９】
前記下壁連結部材９は、断面形状が約１３ｃｍ角の四角柱状としており、図９に示したように、対向側端面に嵌合凸部９ａを設け、平面部９ｆの横幅を約１３ｃｍとし、高さを約４５ｃｍ、約９５ｃｍ、約１１０ｃｍの何れかとしている。さらに、この下壁連結部材９は、図９に示したように、上端面に嵌合凸部９ｂを設けることもできる。
【００３０】
前記第二壁部材１０は、厚さ約１３ｃｍの板状としており、図１０に示したように、両側端面に嵌合凹部１０ａを設け、平面部１０ｆの横幅を約３２．５ｃｍとし、高さを約２４５ｃｍとしている。さらに、この第二壁部材１０は、図１０に示したように、上端面に嵌合凹部１０ｂを設けることもできる。
【００３１】
前記第二上壁部材１１は、厚さ約１３ｃｍの板状としており、図１１に示したように、対向側端面に嵌合凹部１１ａを設け、平面部１１ｆの横幅を約３２．５ｃｍとし、高さを約５０ｃｍとしている。さらに、この第二上壁部材１１は、図１１に示したように、下端面に嵌合凸部１１ｂを設けると共に上端面に嵌合凹部１１ｃを設けることもできる。
【００３２】
前記第二下壁部材１２は、厚さ約１３ｃｍの板状としており、図１２に示したように、対向側端面に嵌合凹部１２ａを設け、平面部１２ｆの横幅を約３２．５ｃｍとし、高さを約４５ｃｍ、約９５ｃｍ、約１１０ｃｍの何れかとしている。さらに、この第二下壁部材１２は、図１２に示したように、上端面に嵌合凸部１２ｂを設けることもできる。
【００３３】
前記側端用柱部材１３は、断面形状が約１３ｃｍ角の四角柱状としており、図１３に示したように、一側端面に嵌合凸部１３ａを設け、高さを約２４５ｃｍとしている。
【００３４】
前記出入口幅調節部材１４は、断面形状が９×１３ｃｍ角の四角柱状としており、図１４に示したように、対向一側端面に嵌合凹部１４ａを設けると共に対向他側端面の嵌合凸部１４ｂを設け、平面部１４ｆの横幅を約９ｃｍとし、高さを約２００ｃｍとしている。さらに、この出入口幅調節部材１４は、図１４に示したように、上下端面に嵌合凹部１４ｃを設けることもできる。
【００３５】
前記窓幅調節部材１５は、断面形状が９×１３ｃｍ角の四角柱状としており、図１５に示したように、対向一側端面に嵌合凹部１５ａを設けると共に対向他側端面の嵌合凸部１５ｂを設け、平面部１５ｆの横幅を約９ｃｍとし、高さを約８０ｃｍ、約１４５ｃｍの何れかとしている。さらに、この窓幅調節部材１５は、図１５に示したように、上下端面に嵌合凹部１５ｃを設けることもできる。
【００３６】
この発明の住宅体験施設の組立セットは、前記各部材の嵌合凸部と嵌合凹部を凹凸嵌合して組み立てるようにしており、例えば図１６〜２１に示したような住宅体験施設を組み立てることができる。
【００３７】
先ず、第一壁部材１、平面用柱部材２、コーナ用第一柱部材３、第一上壁部材４および第一下壁部材５からなるこの発明の住宅体験施設の組立セットでは、例えば図１６、１７に示すような住宅体験施設を組み立てることができる。
【００３８】
さらに、第一壁部材１、平面用柱部材２、コーナ用第一柱部材３、第一上壁部材４、第一下壁部材５、平面兼コーナ用柱部材６、コーナ用第二柱部材７、上壁連結部材８、下壁連結部材９、第二壁部材１０、第二上壁部材１１、第二下壁部材１２および側端用柱部材１３からなるこの発明の住宅体験施設の組立セットでは、例えば図１８、１９に示すような住宅体験施設を組み立てることができる。
【００３９】
また、前記図１８、１９に示すような住宅体験施設に使用した部材に、出入口幅調節部材１４および窓幅調節部材１５を追加してなるこの発明の住宅体験施設の組立セットでは、例えば図２０、２１に示すような住宅体験施設を組み立てることができる。
【００４０】
なお、前記図１６〜２１に示したような住宅体験施設以外にも、各部材の組み合わせによって、色々な住宅体験施設を組み立てることができるのは言うまでもない。
【００４１】
図１６、１７に示すような住宅体験施設を組み立てる場合、前記第一壁部材１、第一上壁部材４、第一下壁部材５の各壁部材の嵌合凹部１ａ、４ａ、５ａには、平面用柱部材２、コーナ用第一柱部材３の各柱部材の嵌合凸部２ａ、３ａが任意に凹凸嵌合され、壁Ｈ、窓Ｗおよび出入口Ｄが形成される。さらに、図示していないが、前記第一壁部材１、第一上壁部材４の各壁部材の嵌合凹部１ｂ、４ｃには、第一上壁部材４の嵌合凸部４ｂが凹凸嵌合され、壁Ｈを上方に延長して壁Ｈを高くしたり、窓Ｗや出入口Ｄの上方を延長して、窓Ｗや出入口Ｄの上方を広くすることができるようにしている。
【００４２】
図１８、１９に示すような住宅体験施設を組み立てる場合、前記第一壁部材１、第一上壁部材４、第一下壁部材５、第二壁部材１０、第二上壁部材１１、第二下壁部材１２の各壁部材の嵌合凹部１ａ、４ａ、５ａ、１０ａ、１１ａ、１２ａには、平面用柱部材２、コーナ用第一柱部材３、平面兼コーナ用柱部材６、コーナ用第二柱部材７、上壁連結部材８、下壁連結部材９、側端用柱部材１３の各柱部材の嵌合凸部２ａ、３ａ、６ａ、７ａ、８ａ、９ａ、１３ａが任意に凹凸嵌合され、壁Ｈ、窓Ｗおよび出入口Ｄが形成される。さらに、図示していないが、前記第一壁部材１、第一上壁部材４の各壁部材の嵌合凹部１ｂ、４ｃには、第一上壁部材４の嵌合凸部４ｂが凹凸嵌合され、また前記第二壁部材１０、第二上壁部材１１の各壁部材の嵌合凹部１０ｂ、１１ｃには、第二上壁部材１１の嵌合凸部１１ｂが凹凸嵌合され、壁Ｈを上方に延長して壁Ｈを高くしたり、窓Ｗや出入口Ｄの上方を延長して、窓Ｗや出入口Ｄの上方を広くできるようにしている。
【００４３】
図２０、２１に示すような住宅体験施設を組み立てる場合も、前記各部材を任意に凹凸嵌合することにより、図１８、１９に示すような住宅体験施設と同様に壁Ｈ、窓Ｗおよび出入口Ｄが形成されたり、壁Ｈを上方に延長して壁Ｈを高くしたり、窓Ｗや出入口Ｄの上方を延長して、窓Ｗや出入口Ｄの上方を広くできるようにしている。さらに、図２０、２１に示すような住宅体験施設を組み立てる場合には、出入口幅調節部材１４および窓幅調節部材１５の各調節部材の嵌合凹部１４ａ、１５ａには、窓Ｗや出入口Ｄを形成する平面用柱部材２、コーナ用第一柱部材３、平面兼コーナ用柱部材６、コーナ用第二柱部材７、側端用柱部材１３の各柱部材の嵌合凸部２ａ、３ａ、６ａ、７ａ、１３ａが任意に凹凸嵌合され、窓Ｗや出入口Ｄの幅を狭くできるようにしている。また、前記出入口幅調節部材１４および窓幅調節部材１５の各調節部材の嵌合凹部１４ａ、１５ａに、これら各調節部材の嵌合凸部１４ｂ、１５ｂが凹凸嵌合され、窓Ｗや出入口Ｄの幅をさらに狭くできるようにしている。この場合、前記出入口幅調節部材１４および窓幅調節部材１５の各調節部材の嵌合凹部１４ｃ、１５ｃには、第一上壁部材４、第一下壁部材５の各壁部材の嵌合凸部４ｂ、５ｂが凹凸嵌合され、出入口幅調節部材１４および窓幅調節部材１５を出入口Ｄや窓Ｗから外れ難くしている。
【図面の簡単な説明】
【００４４】
【図１】この発明の住宅体験施設の組立セットの第一壁部材の一部切欠斜視図である。
【図２】この発明の住宅体験施設の組立セットの平面用柱部材の斜視図である。
【図３】この発明の住宅体験施設の組立セットのコーナ用第一柱部材の斜視図である。
【図４】この発明の住宅体験施設の組立セットの第一上壁部材の一部切欠斜視図である。
【図５】この発明の住宅体験施設の組立セットの第一下壁部材の一部切欠斜視図である。
【図６】この発明の住宅体験施設の組立セットの平面兼コーナ用柱部材の斜視図である。
【図７】この発明の住宅体験施設の組立セットのコーナ用第二柱部材の斜視図である。
【図８】この発明の住宅体験施設の組立セットの上壁連結部材の一部切欠斜視図である。
【図９】この発明の住宅体験施設の組立セットの下壁連結部材の一部切欠斜視図である。
【図１０】この発明の住宅体験施設の組立セットの第二壁部材の一部切欠斜視図である。
【図１１】この発明の住宅体験施設の組立セットの第二上壁部材の一部切欠斜視図である。
【図１２】この発明の住宅体験施設の組立セットの第二下壁部材の一部切欠斜視図である。
【図１３】この発明の住宅体験施設の組立セットの側端用柱部材の斜視図である。
【図１４】この発明の住宅体験施設の組立セットの出入口幅調節部材の一部断面斜視図である。
【図１５】この発明の住宅体験施設の組立セットの窓幅調節部材の一部断面斜視図である。
【図１６】この発明の住宅体験施設の組立セットによって組み立てた住宅体験施設の斜視図である。
【図１７】図１６に示す住宅体験施設の平面図である。
【図１８】この発明の住宅体験施設の組立セットによって組み立てた他の住宅体験施設の斜視図である。
【図１９】図１８に示す住宅体験施設の平面図である。
【図２０】この発明の住宅体験施設の組立セットによって組み立てたさらに他の住宅体験施設の斜視図である。
【図２１】図２０に示す住宅体験施設の平面図である。
【図２２】従来の空間スケール体験装置の俯瞰図である。
【図２３】従来の空間スケール体験装置のスライドレールと係止金具の位置関係図である。
【図２４】従来の住宅内の空間の疑似体験装置を示す斜視図である。
【図２５】従来の住宅内の空間の疑似体験装置の窓表示用薄板パネル、扉表示用薄板パネルの種類や取付け位置を変えた状態の斜視図である。
【符号の説明】
【００４５】
１  第一壁部材
１ａ  嵌合凹部
１ｆ  平面部
２  平面用柱部材
２ａ  嵌合凸部
２ｆ  平面部
３  コーナ用第一柱部材
３ａ  嵌合凸部
４  第一上壁部材
４ａ  嵌合凹部
４ｆ    平面部
５  第一下壁部材
５ａ  嵌合凹部
５ｆ  平面部
６  平面兼コーナ用柱部材
６ａ  嵌合凸部
７  コーナ用第二柱部材
７ａ  嵌合凸部
８  上壁連結部材
８ａ  嵌合凸部
８ｆ  平面部
９  下壁連結部材
９ａ  嵌合凸部
９ｆ  平面部
１０  第二壁部材
１０ａ  嵌合凹部
１１  第二上壁部材
１１ａ  嵌合凹部
１１ｆ  平面部
１２  第二下壁部材
１２ａ  嵌合凹部
１２ｆ  平面部
１３  側端用柱部材
１３ａ  嵌合凸部
１４  出入口幅調節部材
１４ａ  嵌合凹部
１４ｂ  嵌合凸部
１５  窓幅調節部材
１５ａ  嵌合凹部
１５ｂ  嵌合凸部
【図１】
2006018052.tif 000003
【図２】
2006018052.tif 000004
【図３】
2006018052.tif 000005
【図４】
2006018052.tif 000006
【図５】
2006018052.tif 000007
【図６】
2006018052.tif 000008
【図７】
2006018052.tif 000009
【図８】
2006018052.tif 000010
【図９】
2006018052.tif 000011
【図１０】
2006018052.tif 000012
【図１１】
2006018052.tif 000013
【図１２】
2006018052.tif 000014
【図１３】
2006018052.tif 000015
【図１４】
2006018052.tif 000016
【図１５】
2006018052.tif 000017
【図１６】
2006018052.tif 000018
【図１７】
2006018052.tif 000019
【図１８】
2006018052.tif 000020
【図１９】
2006018052.tif 000021
【図２０】
2006018052.tif 000022
【図２１】
2006018052.tif 000023
【図２２】
2006018052.tif 000024
【図２３】
2006018052.tif 000025
【図２４】
2006018052.tif 000026
【図２５】
2006018052.tif 000027